(57)【要約】      （修正有）【課題】両主面に正像図柄を織成することにより表裏の区別を不要とした取り扱いを可能として使い勝手の向上を図る両面リバーシブルガーゼ生地体を提供する。【解決手段】適宜の図柄を織成し表裏面を構成する第１ガーゼ生地体部２と第２ガーゼ生地体部３とを止め糸４を介して一体に織成する。第１ガーゼ生地体部２に織成した第１図柄８が第１の主面側から正像図柄として識別されるとともに第２ガーゼ生地体部３に織成した第２図柄１０も第２の主面側から正像図柄として識別されることにより、リバーシブル態様のガーゼ生地体を構成する。【選択図】図４
0003167517.tif 000002
【実用新案登録請求の範囲】
【請求項１】
織機により、図柄を織成してなる第１ガーゼ生地体部と第２ガーゼ生地体部とを止め糸を介して表裏一体に織成し、
上記第１ガーゼ生地体部に織成した第１図柄が第１生地体部側から正像図柄として識別されるとともに、上記第２ガーゼ生地体部に織成した第２図柄が第２主面部側から正像図柄として識別される両面リバーシブルガーゼ生地体。
【請求項２】
上記第１ガーゼ生地体部と上記第２ガーゼ生地体部は、それぞれ異色糸で縦縞・横縞に織成することにより、異なる色柄の上記第１図柄と上記第２図柄を織成する請求項１に記載の両面リバーシブルガーゼ生地体。
【考案の詳細な説明】
【技術分野】
【０００１】
本考案は、ガーゼ生地の両面に正像模様を織成してなる両面リバーシブルガーゼ生地体に関する。
【背景技術】
【０００２】
ガーゼ生地は、甘撚りの糸を用いて粗く織った生地であり、織り目が大きく、ふんわりと柔らかく、肌触りや通気性がよいといった特徴を有しており、各種タオル製品や乳幼児用の衣服生地等、様々な製品に用いられている。ガーゼ生地は、一般に無地で織成されるが、用途によっては柄物生地の要求も大きい。
【０００３】
柄物ガーゼ生地は、プリント柄が主流であり、また染めや生成り等によっても織成される。柄物ガーゼ生地は、例えば二重ガーゼ織、平織り朱子或いは斜紋織等の生成りにより柄を表現することも可能ではあるが、いずれの方法でも柄が表裏面において反転して織成されるいわゆるかがみ柄となってしまう。
【０００４】
例えば、特許文献１には、ジャカード織機を用いてタテ糸とヨコ糸を交互に絡めて複層の多重ガーゼを織成するに際して、ガーゼ構成糸のタテ糸やヨコ糸中に異なるデザイン糸を混入し、ガーゼ生地を織成しつつデザイン糸を表面や中間或いは裏面に織り込むことにより適宜の柄を織成する多重ガーゼのデザイン織成法が記載されている。かかるデザイン織成法においては、点や線の集合或いはすかしにより創作力豊かなデザインを施すことが可能であるが、表裏面に形成される柄がかがみ柄となる。
【０００５】
また、特許文献２には、無撚糸又は撚糸を用いた経糸と緯糸により第１組織織と第２組織織とを織成する際に経糸と緯糸とを表裏交替させることにより表側模様層と裏側模様層とを構成する多重ガーゼ織物が記載されている。多重ガーゼ織物は、表裏面に適宜の模様を形成した柔らかな風合で、肌に心地よい生地であることから、各種用途に用いられる。しかしながら、かかる多重ガーゼ織物においても、表裏面に形成される模様がかがみ模様となる。
【先行技術文献】
【特許文献】
【０００６】
【特許文献１】特開２００６−２９９４４２号公報
【特許文献２】実用新案登録第３１５４７３６号公報
【考案の概要】
【考案が解決しようとする課題】
【０００７】
ところで、例えばホテルや旅館等においては、使用された大量のバスタオルやバスマット等のタオル製品が、一般に業者により回収されて洗濯、乾燥或いは除菌等の処理を施した後に折り畳んで袋詰めした状態で納品するクリーニング処理システムが構築されて利用が図られている。かかるクリーニング処理システムにおいては、洗濯から袋詰めまでの一連の作業について自動化による効率化が図られている。
【０００８】
納品されるタオル製品には、ホテル名等のロゴが外部からでも視認できるように位置決めした状態で袋詰めされていなければならない。したがって、クリーニング処理システムにおいては、上述したようにタオル製品が片面模様の仕様であることから、折畳み工程の前工程において、ロゴを位置合わせする手作業による工程が必要となり処理効率を低下させていた。このように大量に取り扱われるタオル製品については、リバーシブル態様での使用が可能な両面模様の要求が極めて大きい。タオル製品においては、多層構造により両面に模様を形成することが可能となるが、高価となるとともに、分厚くかつ重くなって取り扱いが不便となり、また乾燥等の時間もかかってしまうことからいわゆる業務用としては適さない。
【０００９】
柄物ガーゼ生地は、上述したタオル製品ばかりでなく柔らかな肌触り等の特徴から各種衣料品にも用いられるために、多色化や適宜の図柄が織成される。柄物ガーゼ生地は、上述した形態により表裏を自由に変えるいわゆるリバーシブル態様の適用が困難であった。
【００１０】
したがって、本考案は、両主面に正像図柄を織成することにより表裏の区別を不要とした取り扱いを可能として使い勝手の向上を図る両面リバーシブルガーゼ生地体を提供することを目的とする。
【課題を解決するための手段】
【００１１】
上述した目的を達成する本考案にかかる両面リバーシブルガーゼ生地体は、ガーゼ織機によって、適宜の図柄を織成し表裏面を構成する第１ガーゼ生地体部と第２ガーゼ生地体部とを止め糸を介して一体に織成する。両面リバーシブルガーゼ生地体は、第１ガーゼ生地体部に織成した第１図柄が第１の主面側から正像図柄として識別されるとともに、第２ガーゼ生地体部に織成した第２図柄も第２の主面側から正像図柄として識別されることにより、いわゆるリバーシブル態様のガーゼ生地体を構成する。
【００１２】
また、両面リバーシブルガーゼ生地体は、第１ガーゼ生地体部と第２ガーゼ生地体部とを、それぞれ異色糸により縦縞・横縞に織成する。これにより、両面リバーシブルガーゼ生地体は、多色の色柄模様の第１図柄と第２図柄を織成する。
【００１３】
さらに、両面リバーシブルガーゼ生地体は、第１ガーゼ生地体部と第２ガーゼ生地体部とを、異なる色の経糸と緯糸により織成する。これにより、両面リバーシブルガーゼ生地体は、多色の図柄模様からなる第１図柄と第２図柄を織成する。
【考案の効果】
【００１４】
以上のように構成された本考案にかかる両面リバーシブルガーゼ生地体によれば、中間空気層を有する２層ガーゼ生地に織成されることから、ふんわりと柔らかい肌触り感や吸水特性或いは通気特性や速乾特性等のガーゼ生地の特徴が一層発揮される。両面リバーシブルガーゼ生地体によれば、ガーゼ生地において表裏主面からそれぞれ正像として識別される第１図柄と第２図柄を織成することから、表裏の区別を不要とした取り扱いが可能な様々なタオル製品に展開可能である。
【図面の簡単な説明】
【００１５】
【図１】本考案にかかる両面リバーシブルガーゼ生地体の実施の形態として示す両面リバーシブルガーゼタオルの第１生地体部側を示す正面図である。
【図２】同両面リバーシブルガーゼタオルの第２生地体部側を示す背面図である。
【図３】同両面リバーシブルガーゼタオルの組織表図である。
【図４】同両面リバーシブルガーゼタオルの要部経方向断面図である。
【考案を実施するための形態】
【００１６】
以下、本考案の実施の形態として図面に示した両面リバーシブルガーゼタオル（以下、リバーシブルタオルと略称する）１について詳細に説明する。リバーシブルタオル１は、織機により織布された原反を所定の大きさに裁断、縁止め等の適宜の仕上げ処理を施して形成したフェイスタオルである。なお、実施の形態として示したリバーシブルタオル１は、例えばおしぼり、バスタオル、ハンドタオル、マフラータオル、スポーツタオル或いはバスローブ等の各種のタオル製品に広く適用される。また、本考案は、タオル製品に限定されず、例えばベビー肌着、パジャマ或いはカジュアルなシャツ等の様々な衣料品にも使用される。
【００１７】
リバーシブルタオル１は、ジャカード織機によるガーゼ織を施して表裏面に適宜の図柄を織布したタオルである。リバーシブルタオル１は、図１（Ａ）に示す第１ガーゼ生地体部（第１生地体部）２と同図（Ｂ）に示す第２ガーゼ生地体部（第２生地体部）３とを止め糸４（図４参照）により重ね合わせ状態で一体化してなる。リバーシブルタオル１は、幅方向の両側部位に全長に亘って縁止め５を施すとともに、長さ方向の両側部位に端止め６を施して縦房を形成してなる。なお、縦房は、後述する織糸を用いることにより、多色で形成される。
【００１８】
リバーシブルタオル１には、図１に示すように、全面に第１地模様７を施した第１生地体部２側の所定位置に第１図柄８が形成される。リバーシブルタオル１には、図２に示すように、全面に第２地模様９を施した第２生地体部３側の所定位置に第２図柄１０が形成される。リバーシブルタオル１は、第１生地体部２の第１図柄８と第２生地体部３の第２図柄１０とが、それぞれの主面から正像として識別される図柄に形成される。したがって、リバーシブルタオル１は、第１生地体部２と第２生地体部３が、表裏に区別されない、いわゆるリバーシブル態様で使用することが可能である。
【００１９】
リバーシブルタオル１は、第１図柄８や第２図柄１０が、適宜の絵柄や模様或いは文字等を含み、第１生地体部２と第２生地体部３の主面にそれぞれ正像として識別される図柄で相対して形成される。リバーシブルタオル１は、第１図柄８や第２図柄１０が、それぞれ主面から正像として識別されればよく、互いに同一或いは異なる図柄であってもよく、さらに色違い図柄であってもよい。
【００２０】
リバーシブルタオル１は、図３に示すように、同一番手の異なる色の緯糸１１（例えば２色１組の緯糸１１Ａ、１１Ｃ）と、同一番手の経糸１２によって第１生地体部２を織布する。リバーシブルタオル１は、第１生地体部２側の緯糸１１Ａ、１１Ｂとは異なる色で同一番手の緯糸１１（例えば２色１組の緯糸１１Ｂ、１１Ｄ）と、同一番手の経糸１２によって第２生地体部３を織布する。リバーシブルタオル１は、例えば４色１組の緯糸１１と、４色１組の経糸１２（１２Ａ〜１２Ｄ）とにより第１生地体部２と第２生地体部３を縦縞・横縞で形成することにより、８色までの色柄表現で織成されることが可能である。
【００２１】
リバーシブルタオル１は、ジャカード織機の制御部に第１地模様７や第１図柄８或いは第２地模様９や第２図柄１０を形成するパターンデータを記憶させ、プログラム処理により緯糸１１に対する経糸１２の打ち込み動作を制御しながら織布する。リバーシブルタオル１は、第１地模様７に第１図柄８を形成した第１生地体部２と第２地模様９に第２図柄１０を形成した第２生地体部３を織成する。
【００２２】
リバーシブルタオル１は、図４に示すように緯糸１１Ａと緯糸１１Ｃにプログラム制御を行いながら経糸１２の打ち込みを行って緯糸１１Ａと緯糸１１Ｃ間で適宜浮沈させることにより、第１図柄８を有する図１（Ａ）に示す第１生地体部２を織布する。リバーシブルタオル１は、緯糸１１Ｂと緯糸１１Ｄにプログラム制御を行いながら経糸１２の打ち込みを行って緯糸１１Ｂと緯糸１１Ｄ間で適宜浮沈させることにより、第２図柄１０を有する同図（Ｂ）に示す第２生地体部３を織布する。
【００２３】
リバーシブルタオル１は、内層において第１生地体部２と第２生地体部３間に止め糸４を掛け合わせて一体化する。リバーシブルタオル１は、止め糸４が、第１生地体部２と第２生地体部３の表面から外部に露出されないようにして緯糸１１と経糸１２の適宜の位置に掛け合わされる。リバーシブルタオル１は、第１生地体部２と第２生地体部３間に中間空気層が形成される。
【００２４】
リバーシブルタオル１は、第１生地体部２において、緯糸１１Ａと緯糸１１Ｃに対して経糸１２を規則的に浮沈させることにより地部位である縦縞、横縞の第１地模様７を形成する。リバーシブルタオル１は、第２生地体部３において、緯糸１１Ｂと緯糸１１Ｄに対して経糸１２を規則的に浮沈させることにより地部位である縦縞、横縞の第２地模様９を形成する。リバーシブルタオル１は、第１生地体部２と第２生地体部３において、色違いの縦横縞からなる第１地模様７と第２地模様９を形成する。
【００２５】
リバーシブルタオル１は、図３に示すように等ピッチで配列された４本の緯糸１１Ａ〜１１Ｄを１領域として、４本の経糸１２Ａ〜１２Ｄを選択的に打ち込んで掛け合わせが行われる。リバーシブルタオル１は、緯糸１１と経糸１２の組み合わせにより、第１生地体部２と第２生地体部３の表面においてそれぞれ独立した多色の第１図柄８と第２図柄１０を織成する。リバーシブルタオル１は、第１生地体部２を構成する緯糸１１Ａ、１１Ｃと第２生地体部３を構成する緯糸１１Ｂ、１１Ｄに対して経糸１２Ａ〜１２Ｄが相互に制限されることなく掛け合わされる。したがって、リバーシブルタオル１は、第１生地体部２と第２生地体部３を独立して織成することにより、表裏主面からそれぞれ正像として識別される第１図柄８と第２図柄１０を形成する。
【００２６】
図３は、上述したリバーシブルタオル１の要部組織図あり、同図（Ａ）及び同図（Ｂ）に区分して示す第１生地体部２と第２生地体部３における各緯糸１１に対する各経糸１２の掛け合わせ状態を示している。同図において、×印で示す部位では緯糸１１に対して経糸１２が掛け合わされ、○印で示す部位では緯糸１１に対して経糸１２がフリーな状態を示している。
【００２７】
以上のように構成されるリバーシブルタオル１は、中間空気層を有する２層のガーゼタオル地を基本構成とすることから、ふんわりと柔らかい肌触り感や吸水特性或いは通気特性や速乾特性等のガーゼ生地の特徴が一層発揮される。リバーシブルタオル１は、第１生地体部２に形成した第１図柄８と第２生地体部３に形成した第２図柄１０がそれぞれ正像として識別されることから、表裏の区別を不要とした取り扱いを可能とする。リバーシブルタオル１は、例えばホテル等において大量に使用されるタオル類に適用することにより、宿泊者等に高級感を感じさせる。リバーシブルタオル１は、使用後のクリーニング処理において表裏の区別を不要として折畳みや袋詰の作業を行うことが可能であることから、自動化の対応も可能とする。
【００２８】
なお、本考案は、上述した実施の形態として示したリバーシブルタオルに限定されず、実用新案登録請求の範囲に記載した各構成についてその技術範囲を逸脱しない範囲で適宜変更、展開されることは勿論である。
【符号の説明】
【００２９】
１  両面リバーシブルガーゼタオル（リバーシブルタオル）、２  第１生地体部（第１ガーゼ生地体部）、３  第２生地体部（第２ガーゼ生地体部）、４  止め糸、５  縁止め、６  端止め、７  第１地模様、８  第１図柄、９  第２地模様部、１０  第２図柄、１１  緯糸、１２  経糸
【図１】
0003167517.tif 000003
【図２】
0003167517.tif 000004
【図３】
0003167517.tif 000005
【図４】
0003167517.tif 000006